(57)【要約】【課題】設計の際に施工時の配線を傷つくことを防止することができることを目的とする。【解決手段】室内外を連通させるダクトやパイプ等に挿入して装着する円筒状のフレーム８と、フレーム８内で羽根３が回転し換気流を形成するモーター２と、電源接続部４と、フレーム８とを有した本体１８において、モーター２と電源接続部４を繋ぐ配線９を設け、配線９を挿入するアタッチメント部１０を本体１８に設けたという構成にしたことにより、アタッチメント部１０をモーター２を覆うように本体１８に取り付けるので、設計の際に施工時の配線の傷つくことを防止することができる換気装置を得られる。【選択図】図１
2014181852.tif 000002
【特許請求の範囲】
【請求項１】
室内外を連通させるダクトやパイプ等に挿入して装着する円筒状のフレームと、前記フレーム内で羽根車が回転し換気流を形成するモーターと、電源接続部と、フレームとを有した本体において、前記モーターと前記電源接続部を繋ぐ配線を設け、前記配線を挿入するアタッチメント部を本体に設けたことを特徴とする換気装置。
【請求項２】
電源接続部をソケット化したことを特徴とする請求項１記載の換気装置。
【請求項３】
配線をフレームと一体成形したことを特徴とする請求項１記載の換気装置。
【発明の詳細な説明】
【技術分野】
【０００１】
本発明は、室内壁部または天井に埋め込まれたパイプ等によりなる換気口に配設して室内の汚染空気を排出または室外の空気を給気する換気装置に関する。
【背景技術】
【０００２】
従来、この種の換気装置は、組立において、モーターをモーターカバーに収め、モーターカバーの開放端にネジ固定し、モーターリードをリード案内構造のリード案内溝に収めて、配線するものが知られている。（例えば、特許文献１参照）。
【０００３】
以下、その換気装置について、図５と図６を参照しながら説明する。
【０００４】
図５は換気装置の側面断面図、図６は換気装置の背面図である。
【０００５】
図５に示すように、換気装置１０１の中には、室内外を連通する壁面１０２や天井（図示せず）などに設けられたパイプ１０３等に室内側から挿入して取り付けられるものがあり、その多くが円筒状のフレーム１０４の径中心にモーター１０５と羽根１０６が前記ダクトの軸方向に配置されパイプの内面に圧着されるばね１０７を設け、モーター１０５から伸びる配線１０８はモーター外径を沿うように巻きつけ、円筒状のフレームの外径のフレーム脚１０９に沿って電源接続部１１０へと繋がれ、フレーム１０４の室内１１１側開口を覆うルーバー１１２で構成していて、換気装置１０１のパイプ１０３等への挿入に際し、モーターから伸びる配線が挿入操作の邪魔になったり、パイプ１０３等に当り損傷したりしないように、フレーム脚１０９にはリード案内溝を持つ断面Ｕ字状のリード案内構造を備えた構成としたものが知られていた。
【先行技術文献】
【特許文献】
【０００６】
【特許文献１】特開２００７−２９２４２４号公報
【発明の概要】
【発明が解決しようとする課題】
【０００７】
このような従来の換気装置においては、換気装置１０１をパイプ１０３等に挿入し施工する際に、配線１０８がたるんでいる場合には、配線１０８が外部に露出しているためパイプ１０３等の内壁面と擦れ合って被覆が損傷したり、フレーム脚１０９の角部とパイプ１０３の内壁面との間に挟まって心線が断線したりするという課題があった。
【０００８】
また、設計の際に配線がゆるまないように適切な長さに調節したりといった施工時の配線の傷つき防止に配慮する必要があった、という課題を有していた。
【０００９】
また、換気装置組立時に配線１０８をフレーム脚１０９に沿わせる配線処理や電源線との接続に工数がかかりコストアップとなり安価な換気装置が提供できないという課題があった。
【００１０】
そこで本発明は、上記従来の課題を解決するものであり、設計の際に施工時の配線の傷つくことを防止することができる換気装置を提供することを目的とする。
【課題を解決するための手段】
【００１１】
そして、この目的を達成するために、本発明は、室内外を連通させるダクトやパイプ等に挿入して装着する円筒状のフレームと、前記フレーム内で羽根車が回転し換気流を形成するモーターと、電源接続部と、フレームとを有した本体において、前記モーターと前記電源接続部を繋ぐ配線を設け、前記配線を挿入するアタッチメント部を設けたこととしたものであり、これにより所期の目的を達成するものである。
【発明の効果】
【００１２】
本発明によれば、室内外を連通させるダクトやパイプ等に挿入して装着する円筒状のフレームと、前記フレーム内で羽根車が回転し換気流を形成するモーターと、電源接続部と、フレームとを有した本体において、前記モーターと前記電源接続部を繋ぐ配線を設け、前記配線を挿入するアタッチメント部を本体に設けた、という構成にしたことにより、設計の際に施工時の配線の傷つくことを防止することができる、という効果を得ることができる。
【図面の簡単な説明】
【００１３】
【図１】本発明の実施の形態１の換気装置の背面図
【図２】同換気装置の側断面図
【図３】本発明の実施の形態２の換気装置のソケット化を示す分解斜視図
【図４】本発明の実施の形態３の換気装置の配線をフレームと一体成形した状態を示す斜視図
【図５】従来の換気装置の側断面図
【図６】同換気装置の背面図
【発明を実施するための形態】
【００１４】
本発明の請求項１記載の換気装置は、室内外を連通させるダクトやパイプ等に挿入して装着する円筒状のフレームと、前記フレーム内で羽根車が回転し換気流を形成するモーターと、電源接続部と、フレームとを有した本体において、前記モーターと前記電源接続部を繋ぐ配線を設け、前記配線を挿入するアタッチメント部を本体に設けた、という構成を有する。
【００１５】
これにより、アタッチメント部をモーターを覆うように本体に取り付けることとなるので、設計の際に施工時の配線の傷つくことを防止することができる、という効果を奏する。
【００１６】
また、電源接続部をソケット化した、という構成にしてもよい。
【００１７】
これにより、電源接続部をソケット化してアタッチメント部に挿入するので、配線の組立性が向上することができる、という効果を奏する。
【００１８】
また、配線をフレームと一体成形した、という構成にしてもよい。
【００１９】
これにより、配線がフレームに備わっているので、配線の組立作業性を無くすことができる、という効果を奏する。
【００２０】
以下、本発明の実施の形態について図面を参照しながら説明する。
【００２１】
（実施の形態１）
図１および図２に示すように、モーター２のシャフト１７方向である軸方向に複数本のフレーム脚１を設け、内部にモーター２により駆動される例えばターボ型やプロペラ型の羽根３と、例えば速結端子の電源接続部４とを設けた本体１８において、本体１８の外周には室壁５または天井（図示せず）などに設けられるパイプ６等（ダクトとも言われる）の内面に圧着されるばね７を設けたフレーム８を形成し、複数のフレーム脚１の一つにモーター２と電源接続部４とを連結させる、内部に配線９を挿通させた中空形状のアタッチメント部１０を設ける。
【００２２】
そして、アタッチメント部１０の両端部から突出させモーター２と電源接続部４とそれぞれコネクター形状で電気的に接続されている。
【００２３】
そして、フレーム８の羽根３の側端部に、中央を開口し周辺にフレーム８の立上部１９と室壁５との間の空間に電源接続部４の収納空間を形成する枠部１１を設け、電源接続部４とアタッチメント部１０とを接続する電源側接続コネクター１２ａも設け、モーター２とアタッチメント部１０とを接続するモーター側接続コネクター１２ｂをモーター２の外周側である径方向に設け、フレーム８の室内１３側の開口を覆うようにルーバー１４を設けた構成とする。
【００２４】
このような構成によれば、本体１８である換気装置を組み立てるときには、内部（例えば凹状）に配線９を挿通させた中空形状のアタッチメント部１０をフレーム８の一部であるフレーム脚１の一つに沿って嵌挿し取り付け、モーター２をモーター側接続コネクター１２ｂと接続可能な位置関係においてねじ２ａで室内１３側に向けて回して固定し、羽根３を室内１３側から室外１５側に向けてモーター２に嵌挿し取り付け、電源側接続コネクター１２ａとアタッチメント部１０とを接続して枠部１１に収め固定し、ルーバー１４をフレーム８の室内１３側から嵌挿させて組み立てる。
【００２５】
そして、組み立てられた本体１８である換気装置を室壁５に取付けるときには、室壁５に設けたパイプ６等にばね７のばね圧に抗してフレーム８を挿入することによりフレーム８はばね７に反力によって保持されて取付けられる。
【００２６】
このとき、配線９はフレーム脚１に嵌挿されたアタッチメント部１０の内部空間である孔に配設され、配線９がたるまずフレーム８の外に突出させず、配線９がパイプ６等に擦れ合って損傷させることを防止させる。
【００２７】
また、アタッチメント部１０をフレーム脚１に沿って嵌挿する組み立てることにより、配線９を従来のようなモーター２の外径に沿って巻きつける作業を無くすことができ、組み立て性が向上することができる。
【００２８】
（実施の形態２）
図３において、図１および図２と同様の構成要素については同一の符号を付し、その詳細な説明は省略する。
【００２９】
図３に示すように、電源接続部４をソケット化（後述ソケット形状１６）して、アタッチメント部１０の電源接続部４側に挿入して接続することにした構成とする。
【００３０】
このような構成によれば、本体１８である換気装置を組み立てるときには、内部に配線９を挿通させた中空形状のアタッチメント部１０をフレーム８の一部であるフレーム脚１の一つに沿って嵌挿し取り付け、モーター２をモーター側接続コネクター１２ｂと接続可能な位置関係においてねじ２ａで室内１３側に向けて回して固定し、羽根３を室内１３側から室外１５側に向けてモーター２に嵌挿し取り付け、アタッチメント部１０の電源接続側はソケット形状１６とした電源接続部４と枠部１１に固定し、ルーバー１４をフレーム８の室内１３側から嵌挿させて組み立てる。
【００３１】
このとき、アタッチメント部１０は電源接続部４の固定と同時に接続されことで、電気的に容易に接続でき、組み立て性が向上するという効果を有する。
【００３２】
（実施の形態３）
図４に示すように、配線９をフレーム８と一体成形した、すなわち、アタッチメント部１０をフレーム８と一体成形する構成とする。
【００３３】
このような構成によれば、本体１８である換気装置を組み立てるときには、フレーム脚１の一つに内部に配線を挿通させたフレーム８に、モーター２をモーター側接続コネクター１２ｂと接続可能な位置関係においてねじ２ａで室内１３側に向けて回して固定し、羽根３を室内１３側から室外１５側に向けてモーター２に嵌挿し取り付け、一体成形された配線９の電源側接続コネクター１２ａと接続可能なコネクター形状とした電源接続部４と電源側接続コネクターを接続し枠部１１に固定し、ルーバー１４をフレーム８の室内１３側から嵌挿させて組み立てる。
【００３４】
このとき、配線９がフレーム８に配置（すでに備わっているということ）済みであり、配線９のフレーム８における配置の処理が必要ないため、本体１８である換気装置を組み立てるときに配線９にフレーム８に配置する処理作業をなくし、配線９がパイプ６等に擦れ合って損傷することがなくなるとともに、電気的に容易に接続ができ組み立て性が向上するという効果を有する。
【産業上の利用可能性】
【００３５】
本発明にかかる換気装置は、住宅の壁面または天井面に設置される換気扇に適している。
【符号の説明】
【００３６】
１      フレーム脚
２      モーター
２ａ    ねじ
３      羽根
４      電源接続部
５      室壁
６      パイプ
７      ばね
８      フレーム
９      配線
１０    アタッチメント部
１１    枠部
１２ａ  電源側接続コネクター
１２ｂ  モーター側接続コネクター
１３    室内
１４    ルーバー
１５    室外
１６    ソケット形状
【図１】
2014181852.tif 000003
【図２】
2014181852.tif 000004
【図３】
2014181852.tif 000005
【図４】
2014181852.tif 000006
【図５】
2014181852.tif 000007
【図６】
2014181852.tif 000008